(57)【要約】【課題】断熱仕切板をねじや専用の部品を必要とすることなく固定することが可能な自動販売機を得る。【解決手段】断熱筐体として形成された本体キャビネット１の商品収納庫を左右方向に複数の商品収納室（ホット室、コールド室）に仕切る断熱仕切板２を備え、前記断熱仕切板２を隣接する商品収納室間に配設された商品収納ラックを搭載するための縦フレーム材１１相互間の隙間に装着してなる自動販売機であって、前記断熱仕切板２を構築する補強材２ｂに係合片２ｃを設ける一方、前記商品収納ラックを搭載するための構築部材としての縦フレーム材１１に孔１１ａを設け、前記断熱仕切板２の補強材２ｂと前記縦フレーム材１１のそれぞれの係合片２ｃと孔１１ａとを係合させて前記断熱仕切板２を本体キャビネット１に固定する。これにより、断熱仕切板２の固定をねじを用いることなく固定することが、また、断熱仕切板２の固定のために専用の固定部品を用いる必要がないので部品点数を削減できる。【選択図】図１
2008015705.tif 000002
【特許請求の範囲】
【請求項１】
断熱筐体として形成された本体キャビネットの商品収納庫を左右方向に複数の商品収納室に仕切る断熱仕切板を備え、前記断熱仕切板が隣接する商品収納室間に設けられた商品収納ラックを搭載するための構築部材相互間の隙間に配設されてなる自動販売機において、
前記断熱仕切板を構築する構成部材に係合部を設ける一方、前記商品収納ラックを搭載するための構築部材に係合部を設け、前記断熱仕切板の構成部材と前記構築部材のそれぞれの係合部を係合させて前記断熱仕切板を本体キャビネットに固定したことを特徴とする自動販売機。
【請求項２】
請求項１に記載の自動販売機において、断熱仕切板は断熱ボードの上端に補強材を備えてなり、前記補強材に切り起しにより係合片を形成して係合部としたことを特徴とする自動販売機。
【請求項３】
請求項１に記載の自動販売機において、断熱仕切板は断熱ボードの上端に補強材を備えてなり、前記補強材を膨出させて形成した突起部を係合部としたことを特徴とする自動販売機。
【請求項４】
請求項１ないし３の何れかに記載の自動販売機において、構築部材は商品収納ラックを吊下げて支持する横フレーム材が接合された縦フレーム材であり、この縦フレーム材に孔を形成して係合部とした特徴とする自動販売機。
【発明の詳細な説明】
【技術分野】
【０００１】
この発明は、断熱筐体として構成された本体キャビネットの商品収納庫を断熱仕切板により左右に複数の商品収納室に仕切り、断熱仕切板により区画された各商品収納室ごとに商品収納ラックを搭載した自動販売機に関する。
【背景技術】
【０００２】
缶飲料，ペットボトルなどの商品を販売する一般的な自動販売機の構成を図３に示す。図３は缶，ペットボトルなどの商品を販売する自動販売機の斜視図であり、図において、１は前面が開放した本体キャビネットであり、この本体キャビネット１は鋼板製の外箱の内側、すなわち、上壁，左右側壁，背壁および底壁１ａにウレタンフォームからなる断熱ボードを配設して断熱筐体として構成されている。前記本体キャビネット１の断熱ボードで囲まれた商品収納庫内は断熱仕切板２により左右方向に複数の商品収納室３,４，５に区画されている。各商品収納室３,４，５には、缶飲料、ペットボトルなどの商品を収納するとともにその下端に商品を搬出する商品払出機構を有する商品収納ラックＲ（この例ではサーペンタイン式と呼ばれる蛇行した商品通路を有する商品収納ラック）がそれぞれ収設され、また、各商品収納室３,４，５から払い出された商品を搬出するシュートＣの背後には、それぞれの商品収納室３,４，５を冷却もしくは加熱して商品収納ラックに収納した商品を冷蔵（コールド）・温蔵（ホット）状態に保存する冷却／加熱ユニット若しくは冷却ユニットが配設されている。本体キャビネット１の底壁１ａの下部は機械室として形成され、この機械室には前記冷却／加熱ユニットの冷却ユニットと冷凍サイクルを構成する冷凍機のコンデンシングユニットが配設されている。なお、冷却ユニットのみが配設された商品収納室はコールド専用室、冷却／加熱ユニットが配設された商品収納室はホット／コールド室に兼用されている。
【０００３】
図３において、６は本体キャビネット１の前面にヒンジにより開閉自在に装着された外扉である。この外扉６の前面には良く知られているようにディスプレイ台に載置された商品見本のディスプレイ室が形成され、このディスプレイ室の前面を覆う透明板には各商品見本に対応して設けられた商品選択ボタンを備えた商品選択ボタンユニットが配設されている。また、前記外扉６の前面には、外扉６の背面に取付けられた硬貨処理装置７および紙幣処理装置８の硬貨投入口および紙幣投入口、硬貨処理装置７の釣銭返却口、商品取出口９、返却レバー、シリンダー錠付きのハンドルロック装置などが組付けられている。１０は本体キャビネット１における商品収納庫の前面を閉塞する内扉であり、この例では内扉が上下に分割されており、下部内扉には各商品収納室３〜５の下部に配置されたシュートＣと対峙する位置に搬出扉１０ａにより閉塞された商品搬出口が設けられている。この搬出扉１０ａは上端を軸支されて商品搬出口を常時は閉塞しており、シュートＣから搬出される商品により押し開かれるように形成されている。
【０００４】
前記本体キャビネット１における商品収納庫を左右に仕切る断熱仕切板２は図４に示すようにねじにより固定されている（例えば、特許文献１）。図４は図３のＡ部、すなわち、断熱仕切板２の取付けを示す本体キャビネット１の上壁前面の要部拡大図である。図４において、１１は断面Ｌ字状の縦フレーム材であり、この縦フレーム材１１は商品収納庫の上壁の前方に配設した取付金具１１１と、同じく後方に配設した不図示の取付金具に架け渡されてねじＳ１により固着されている。この縦フレーム材１１は各商品収納室３〜５の上端の左右にそれぞれ対向して配設されている。この左右一対の縦フレーム材１１には横フレーム材１２が接合されている。この横フレーム材１２は商品収納ラックを吊下げ支持するものであり、断面Ｃ字状に形成されている。商品収納ラックを横フレーム１２に吊下げ支持する方法は特開平１１−３０６４３１号公報などに記載されており、商品収納ラックにおける左右一対のラック側板の上端に架け渡した断面Ｃ字状の取付金具を前記断面Ｃ字状の横フレーム材１２に係合（断面Ｃ字状の鉤同士を係止させて結合）させ、両者をねじＳ２で締結するようにされている。
【０００５】
隣接する商品収納室、図４の場合には商品収納室３，４における前記縦フレーム材１１相互間（商品収納室３の右端の縦フレーム材１１と商品収納室４の左端の縦フレーム材１１の間）には隙間が形成され、この隙間に断熱仕切板２が配設されている。この断熱仕切板２はウレタンフォームの断熱ボードからなり、前端にはパッキン２ａが装着され、左右側面の上端には鋼板からなる補強材２ｂが固着されている。この補強材２ｂの前方には固定金具１３がねじ止めされており、この固定金具１３を本体キャビネット１の上壁前方に配設した取付金具１１１にねじＳ３により固定することによって取付けられている。
【０００６】
【特許文献１】特開２００５−７８２１６号公報
【発明の開示】
【発明が解決しようとする課題】
【０００７】
前述したように従来の自動販売機においては断熱仕切板２の取付けにねじＳ３を用いて本体キャビネット１に固定するように構成されており、断熱仕切板２の取付けのためにねじの締付作業を必要とする。このように、断熱仕切板２の取付けのためにねじの締付作業を行われねばならず、その取付け作業が煩雑であるという課題を有する。そしてまた、断熱仕切板２を本体キャビネット１に固定するために専用の固定金具１３を必要とするので部品点数が増加するという問題を有する。
【０００８】
本発明は上記の点に鑑みなされたものであり、その目的は前記課題を解決し、断熱仕切板をねじや専用の部品を用いることなく固定することが可能な自動販売機を提供することにある。
【課題を解決するための手段】
【０００９】
上記目的を達成するために本発明によれば、断熱筐体として形成された本体キャビネットの商品収納庫を左右方向に複数の商品収納室に仕切る断熱仕切板を備え、前記断熱仕切板が隣接する商品収納室間に設けられた商品収納ラックを搭載するための構築部材相互間の隙間に配設されてなる自動販売機において、前記断熱仕切板を構築する構成部材に係合部を設ける一方、前記商品収納ラックを搭載するための構築部材に係合部を設け、前記断熱仕切板の構成部材と前記構築部材のそれぞれの係合部を係合させて前記断熱仕切板を本体キャビネットに固定したことを特徴とする（請求項１）。
【００１０】
また、本発明によれば、断熱仕切板は断熱ボードの上端に補強材を備えてなり、前記補強材を切り起して形成した係合片を係合部とすることができ（請求項２）、また、断熱仕切板は断熱ボードの上端に補強材を備えてなり、前記補強材を膨出させて形成した突起部を係合部とすることができ（請求項３）、さらに、構築部材は商品収納ラックを吊下げて支持する横フレーム材が接合された縦フレーム材であり、この縦フレーム材に孔を形成して係合部とするのが好適である（請求項４）。
【発明の効果】
【００１１】
前述したように構成された請求項１にかかる発明によれば、断熱仕切板を構築する構成部材に係合部を設ける一方、前記商品収納ラックを搭載するための構築部材に係合部を設け、前記断熱仕切板と前記構築部材のそれぞれの係合部を係合させて前記断熱仕切板を固定するように構成したことにより、ねじを用いることなく断熱仕切板を固定することができるので断熱仕切板の取付け作業を簡単に短時間に行うことができる。
【００１２】
また、断熱仕切板は断熱ボードの上端に補強材を備えてなり、前記補強材を切り起して形成した係合片を係合部とし（請求項２）、或いは断熱仕切板は断熱ボードの上端に補強材を備えてなり、前記補強材を膨出させて形成した突起部を係合部とし（請求項３）、構築部材は商品収納ラックを吊下げて支持する横フレーム材が接合された縦フレーム材であり、この縦フレーム材に孔を形成して係合部とする（請求項４）ことにより、それぞれの構築部材に形成した係合部により断熱仕切板を固定することができるので、断熱仕切板の固定のために専用の取付金具を追加装備する必要がなく、従来装置に対して部品点数を削減できる。
【発明を実施するための最良の形態】
【００１３】
以下、本発明の実施の形態を図１に示す実施例に基づいて説明する。図１は断熱仕切板２の取付けを示す本体キャビネット１の上壁前面の要部拡大図（図３におけるＡ部に対応）である。なお、実施例の図中で図３，図４に示す部材と同一のものには同一の符号を付してその説明は省略する。
図１において、２で再び断熱仕切板を示し、この断熱仕切板２はウレタンフォームを所定形状（長方形）に裁断した断熱ボードとして形成され、断熱ボードの前端にパッキン２ａが装着されるとともに断熱ボードの左右側面の上端には鋼板からなる補強材２ｂが固着されている。ここで、前記補強材２ｂが断熱仕切板２を構築する構成部材であり、この補強材２ｂが設けられている理由は次のとおりである。従来の断熱仕切板は断熱材としてウレタン樹脂を発泡させて形成されていた。具体的には、断熱仕切板の外郭となる浅底で一方が開放した２つの金属箱の開放面同士を重ね合わせて密閉した空間を形成し、この空間内にウレタン樹脂を注入して発泡させて一体化し、金属箱の前端にパッキンを取付けて形成されていた。このようにウレタン樹脂を発泡させて断熱材を形成すると、金属箱とウレタン樹脂が密着して両者を分離することができなくなる。このため、従来の断熱仕切板はリサイクルし難いという問題を有することから、ウレタンフォームを所定形状に裁断した断熱ボードが採用されるに至ったが、断熱ボードのみでは機械的強度が弱いことから断熱ボードの左右側面に鋼板からなる補強材２ｂが施されている。なお、断熱ボードの４つの周縁に補強フレームを施すこともある。
【００１４】
前述したとおりウレタンフォームからなる断熱ボードにおける左右側面の上端に固着された補強材２ｂは断熱仕切板２を構築する構成部材として備えられているものである。前記断熱仕切板２は隣接する商品収納室、図１の場合には商品収納室３，４における前記縦フレーム材１１相互間に配設される。そして、断熱仕切板２の補強材２ｂには切り起しにより係合片２ｃが形成されている。この係合片２ｃが断熱仕切板２を構築する構成部材の係合部に相当する。
【００１５】
一方、商品収納ラックを吊下げ支持する横フレーム材１２が接合された縦フレーム材１１には断熱仕切板２の係合片２ｃに対応する位置に、前記係合片２ｃが嵌り込む孔１１ａが形成されている。前記縦フレーム材１１が商品収納庫に搭載される商品収納ラックを搭載する構築部材に相当する。
なお、商品収納ラックを横フレーム材１２に吊下げて支持する方法は図４に示す従来装置と同一であるので、ここではその説明を省略する。
【００１６】
次に、断熱仕切板２の取付けについて説明すると、前記縦フレーム材１１と横フレーム材１２とは商品収納庫内に組付ける前工程でラック支持アセンブリーとして組立られている。すなわち、ラック支持アセンブリーは縦フレーム材１１に横フレーム材１２を接合して格子状に形成されている。このように前もって組立られたラック支持アセンブリーを、まず、商品収納室３に組付ける。そして、商品収納室３の右端側に位置する縦フレーム材１１の一方の脚片に沿って断熱仕切板２を配設する。このように配設された断熱仕切板２は前記縦フレーム材１１の一方の脚片に立て掛けることにより直立姿勢に保持され、前記縦フレーム材１１の一方の脚片が断熱仕切板２の仮止め部材として機能する。断熱仕切板２を前記縦フレーム材１１の一方の脚片に立て掛けた状態において商品収納室４に縦フレーム材１１と横フレーム材１２からなるラック支持アセンブリーを組付ける。このとき、縦フレーム材１１の孔１１ａに断熱仕切板２の係合片２ｃを嵌め込むことにより断熱仕切板２が本体キャビネット１に固定される。同様な方法により商品収納室４，５の間に断熱仕切板２を配設して断熱仕切板２を本体キャビネット１に固定する。
【００１７】
前述した実施例では断熱仕切板２の係合片２ｃを補強材２ｂと垂直になるように補強材２ｂから切り起して形成し、縦フレーム材１１に対応する孔１１ａを形成した場合について説明したが、この実施例に限られるものではなく、例えば、断熱仕切板２の補強材２ｂの下縁から垂直方向に、かつ、前後方向に間隔をおいた２箇所に切り込みを入れて舌片を形成し、この舌片を補強材２ｂの面から僅かに浮き上がるように階段状の段差を付ける一方、縦フレーム材１１の補強材２ｂと対峙する脚片に、前記舌片が嵌り込む下部が開放した溝を形成することもできる。この場合には、前述した断熱仕切板２の取付け方法に加えて、商品収納庫に縦フレーム材１１と横フレーム材１２からなるラック支持アセンブリーを組付けた後工程で断熱仕切板２を隣接する商品収納室における縦フレーム材１１の相互間に挿入することにより断熱仕切板２を取付けることができる。この方法では、縦フレーム材１１若しくは補強材２ｂの弾性変形を利用し、断熱仕切板２の装着時に縦フレーム材１１若しくは補強材２ｂの舌片を弾性変形させて舌片を溝に嵌め込む。なお、この場合には縦フレーム材１１若しくは補強材２ｂが塑性変形しないことが前提となる。
【００１８】
前述したように図１に示す実施の形態においては、断熱筐体として形成された本体キャビネット１の商品収納庫を左右方向に複数の商品収納室３〜５に仕切る断熱仕切板２を備え、前記断熱仕切板２が隣接する商品収納室間に設けられた商品収納ラックを搭載するための構築部材（縦フレーム材１１）相互間の隙間に配設されてなる自動販売機において、前記断熱仕切板２を構築する構成部材（補強材２ｂ）に係合部（係合片２ｃ）を設ける一方、前記商品収納ラックを搭載するための構築部材（縦フレーム材１１）に係合部（孔１１ａ）を設け、前記断熱仕切板２の構成部材（補強材２ｂ）と前記構築部材（縦フレーム材１１）のそれぞれの係合部（係合片２ｃ，孔１１ａ）を係合させて前記断熱仕切板２を本体キャビネット１に固定することにより、ねじを用いることなく断熱仕切板２を本体キャビネット１に固定することができるので断熱仕切板２の取付け作業を簡単に短時間に行うことができ、また、断熱仕切板２の固定に専用の固定部品を用いる必要がないので部品点数を削減できる。
【００１９】
次に、本発明の異なる実施の形態を図２に示す実施例に基づいて説明する。図２は断熱仕切板２の取付けを示す本体キャビネット１の上壁前面の要部拡大図（図３におけるＡ部に対応）である。なお、実施例の図中で図１に示す部材と同一のものには同一の符号を付してその説明は省略する。
【００２０】
図２に示す実施の形態が図１に示す実施の形態と異なる点は、図１の実施の形態では断熱仕切板２の補強材２ｂに切り起しにより係合片２ｃを形成する一方、縦フレーム材１１には前記断熱仕切板２の係合片２ｃと対応する位置にこの係合片２ｃが嵌り込む孔１１ａを形成しているのに対し、図２の実施の形態では断熱仕切板２の補強材２ｂに膨出した突起部２ｄを形成する一方、縦フレーム材１１には前記補強材２ｂの突起部２ｄが嵌り込む孔１１ｂを形成した点である。
【００２１】
図２に示した断熱仕切板２の補強材２ｂに設けられた突起部２ｄは補強材２ｂを絞り加工により前面側を補強材２ｂの板面に対して略垂直に膨出させるとともに後方に向かうに従って膨出量が漸減するように形成されている。図２においては前記突起部２ｄが縦フレーム材１１の孔１１ｂに嵌り込んで断熱仕切板２を固定した状態で、突起部２ｄが縦フレーム材１１よりも高く突き出すようにその膨出量を誇張して描かれているが、突起部２ｄの膨出量は縦フレーム材１１の板厚寸法程の高さがあれば足りるものである。なお、前記突起部２ｄが断熱仕切板２を構築する構成部材の係合部に相当する。
【００２２】
図２に示した断熱仕切板２の取付け方法は図１に示した実施の形態と同様であり、前もって組立られたラック支持アセンブリーを、まず、商品収納室３に組付ける。そして、商品収納室３の右端側に位置する縦フレーム材１１の一方の脚片に沿って断熱仕切板２を配設する。このように配設された断熱仕切板２は前記縦フレーム材１１の一方の脚片に立て掛けることにより直立姿勢に保持され、前記縦フレーム材１１の一方の脚片が断熱仕切板２の仮止め部材として機能する。断熱仕切板２を前記縦フレーム材１１の一方の脚片に立て掛けた状態において商品収納室４に縦フレーム材１１と横フレーム材１２からなるラック支持アセンブリーを組付ける。このとき、縦フレーム材１１の孔１１ｂに断熱仕切板２の突起部２ｄを嵌め込むことにより断熱仕切板２が本体キャビネット１に固定される。同様な方法により商品収納室４，５の間に断熱仕切板２を配設して断熱仕切板２を本体キャビネット１に固定する。
【００２３】
前述した断熱仕切板の取付け方法に代えて次の方法によっても断熱仕切板を取付けることができる。すなわち、商品収納庫に縦フレーム材１１と横フレーム材１２からなるラック支持アセンブリーを組付けた後工程で断熱仕切板２を隣接する商品収納室における縦フレーム材１１の相互間に前方から挿入する。このとき、断熱仕切板２の補強材２ｂに設けた突起部２ｄは後方に向かうに従って膨出量が漸減するように形成されていることから突起部２ｄが縦フレーム材１１における補強材２ｂと当接する一方の脚片を徐々に弾性変形させて浮き上がらせる。そして、突起部２ｄが孔２ｂに一致する位置まで押し込むと縦フレーム１１の一方の脚片が元の状態に復帰して孔２ｂに嵌り込む。これにより突起部２ｄの前端縁が孔２ｂの孔縁に当接して断熱仕切板２が本体キャビネット１に固定される。
【００２４】
図２に示した実施の形態においては、断熱仕切板２の補強材２ｂに設けた突起部２ｄを後方に向かうに従って膨出量が漸減するように形成されており、断熱仕切板２を後者の方法、すなわち、ラック支持アセンブリーを商品収納室３に組付けた後工程で断熱仕切板を取付ける方法の場合に断熱仕切板２の取付けをスムーズに行うことができる。しかしながら、突起部２ｂの形状はこれに限定されるものではなく、例えば、膨出量が一定の箱形の突起部とすることもできるものである。
【００２５】
前述したように図２に示す実施の形態においては、断熱筐体として形成された本体キャビネット１の商品収納庫を左右方向に複数の商品収納室３〜５に仕切る断熱仕切板２を備え、前記断熱仕切板２が隣接する商品収納室間に設けられた商品収納ラックを搭載するための構築部材（縦フレーム材１１）相互間の隙間に配設されてなる自動販売機において、前記断熱仕切板２を構築する構成部材（補強材２ｂ）に係合部（突起部２ｄ）を設ける一方、前記商品収納ラックを搭載するための構築部材（縦フレーム材１１）に係合部（孔１１ｂ）を設け、前記断熱仕切板２の構成部材（補強材２ｂ）と前記構築部材（縦フレーム材１１）のそれぞれの係合部（突起部２ｄ，孔１１ｂ）を係合させて前記断熱仕切板２を本体キャビネット１に固定することにより、ねじを用いることなく断熱仕切板２を本体キャビネット１に固定することができるので断熱仕切板２の取付け作業を簡単に短時間に行うことができ、また、断熱仕切板２の固定に専用の固定部品を用いる必要がないので部品点数を削減できる。
【産業上の利用可能性】
【００２６】
この発明は商品収納庫を断熱仕切板により左右に複数のホット室，コールド室に仕切り、ホット室，コールド室に商品収納ラックを収設した自動販売機に限らず、庫内を断熱仕切板により左右に複数の商品収納室に仕切って区画する装置に適用することができる。
【図面の簡単な説明】
【００２７】
【図１】本発明の実施の形態を示す本体キャビネットの上壁前面の要部拡大図である。
【図２】本発明の異なる実施の形態を示す本体キャビネットの上壁前面の要部拡大図である。
【図３】一般的な自動販売機の概略構成を示す斜視図である。
【図４】図３のＡ部拡大図である。
【符号の説明】
【００２８】
１    本体キャビネット
２    断熱仕切板
２ｂ    補強材（構成部材）
２ｃ    係合片（係合部）
２ｄ    突起部（係合部）
３，４，５    商品収納室
１１    縦フレーム（構築部材）
１２    横フレーム
１１ａ、１１ｂ    孔
【図１】
2008015705.tif 000003
【図２】
2008015705.tif 000004
【図３】
2008015705.tif 000005
【図４】
2008015705.tif 000006